(57)【要約】      （修正有）【課題】ＣＤスロットに抜き出しが容易で、且つ確実に固定でき、緩んだり壊れたりしないＣＤスロット連接のプラットフォームを提供する。【解決手段】ＣＤスロット連接のプラットフォームは、機体１０を含む。二枚の固定翼２０は該機体１０の側壁に成形し、可動翼３０は該二枚の固定翼２０の間に位置し且つ該機体１０に枢設する。キーボタン３１と該可動翼３０は連接して一体で、且つ該機体１０の納置空間１２に位置し、少なくとも一弾性部品４０は該納置空間１２内に設置する。該弾性部品４０両端は、該キーボタン３１及び該機体１０内壁にそれぞれ接触し、外力がない状況において、該可動翼３０と該固定翼２０の間に夾角を形成する。そして該キーボタン３１に外力が加えられると、該可動翼３０が該固定翼２０方向へ移動して並列状になり、取付設備のＣＤスロット内に挿入しやすくなり、該機体１０を該取付設備に固定する。その他携帯電子製品は連接プラットフォームをＣＤスロット附近に固定する。【選択図】図３
0003211941.tif 000002
【実用新案登録請求の範囲】
【請求項１】
機体を含むＣＤスロット連接のプラットフォームにおいて、
二枚の固定翼は該機体の側壁に成形し、可動翼は該二枚の固定翼の間に位置し、且つ該機体に枢設し、キーボタンと該可動翼は連接して一体で、且つ該機体の納置空間に位置し、少なくとも一弾性部品は該納置空間内に設置し、該弾性部品両端は、該キーボタン及び該機体内壁とそれぞれ接触し、外力がない状態において、該可動翼と該固定翼の間には夾角を形成することを特徴とするＣＤスロット連接のプラットフォーム。
【請求項２】
前記機体は、少なくとも一停止壁を備え、該停止壁は垂直形状の壁面を備え、該固定翼と該側壁の接続箇所から下向きに延びることを特徴とする請求項１記載のＣＤスロット連接のプラットフォーム。
【請求項３】
前記弾性部品はバネであることを特徴とする請求項１記載のＣＤスロット連接のプラットフォーム。
【請求項４】
前記機体は他に連接腕を備えて設置部品を連接し、該設置部品は携帯電子製品を固定するのに用いることを特徴とする請求項１記載のＣＤスロット連接のプラットフォーム。
【請求項５】
前記連接腕と該固定翼は、それぞれ該機体の両相対辺に位置することを特徴とする請求項１記載のＣＤスロット連接のプラットフォーム。
【考案の詳細な説明】
【技術分野】
【０００１】
本考案は、ＣＤスロット連接のプラットフォームに関するもので、特にＣＤスロット内に挿入設置して固定し、更にその他携帯電子製品もしくは設備をここに固定する。
【背景技術】
【０００２】
車内用の手に持たない支持装置は、殆どが吸盤をフロントガラスに設置し、そこに携帯電話、カーナビ等パーソナル電子設備を固定して使用する。しかしながら、これらの製品はフロントガラス内壁に設置するため、ドライバーの視線を遮りやすく、吸盤は時間経過に拠って劣化して吸引力を失ってしまう。
【０００３】
他にＣＤスロット固定台があり、それは一時的に車内のＣＤスロットに挿入設置できるもので、ＣＤスロットの固定台にはプラットフォームが提供され、そこに携帯電子製品を設置して固定する。
【０００４】
この種のＣＤスロット固定台はＣＤスロットに插入もしくは抜き出しする過程が不便であり、時には引っかかってしまったり、抜けなくなったりすることがあり、もしくは挿入後に固定が確実でなく緩んだり、もしくは係合が強すぎて抜けなくなったりして、ＣＤ内部機構を壊してしまう点である。これらを鑑み、本考案者は抜き出しが容易で、且つ確実に固定でき、緩んだり壊れたりしない。
【考案の概要】
【考案が解決しようとする課題】
【０００５】
本考案の目的は、押圧方式を採用し、係合及び解除の切り替えによって、ＣＤスロットに簡易に插入もしくは抜き出すＣＤスロット連接のプラットフォームを提供することにある。
【課題を解決するための手段】
【０００６】
上述の目的を達成するため、本考案の技術法案は以下のとおりである。
本考案は、ＣＤスロット連接のプラットフォームであり、それは機体を含む。二枚の固定翼は該機体の側壁に成形し、可動翼は該二枚の固定翼の間に位置し且つ該機体に枢設する。キーボタンと該可動翼は連接して一体で、且つ該機体の納置空間に位置する。少なくとも一弾性部品は該納置空間内に設置し、該弾性部品両端は該機体及び該キーボタン内壁で押さえ、外力がない状況において、該可動翼と該固定翼の間に夾角を形成する。
【０００７】
本考案はＣＤスロット連接のプラットフォームは、外力がない状況において、該弾性部品で該可動翼と該固定翼末端を交錯状に開き、夾角を形成する。該キーボタンに外力が加えられると、該可動翼が該固定翼方向向きに回転移動して並列状になり、取付設備のＣＤスロット内に差し込めるようになる。そして該機体を該取付設備箇所に固定し、その他携帯電子製品を本考案の連接プラットフォームでＣＤスロット附近に固定する。
【０００８】
更に該機体は、少なくとも一停止壁を備える。該停止壁は垂直形状の壁面を備え、且つ該固定翼と該側壁の接続位置から下向きに延びる。該固定翼と該可動翼を該ＣＤスロットに挿入すると、該停止壁と該取付設備の表面が接触し、カンチレバー形状の機体を更に安定させる。
【０００９】
その他、該機体は他に連接腕を備えて設置部品に連接する。該連接腕と該固定翼はそれぞれ該機体の両相対辺に位置し、該設置部品は携帯電子製品を固定するのに用い、それによって、該携帯電子製品が車内のＣＤスロット位置で更に便利に使用しやすくなる。
【考案の効果】
【００１０】
本考案のＣＤスロット連接のプラットフォームは、ＣＤスロットに抜き出しが容易で、且つ確実に固定でき、緩んだり壊れたりしないという利点がある。
【図面の簡単な説明】
【００１１】
【図１】本考案の立体図である。
【図２】本考案の別角度からの立体図である。
【図３】本考案の分解図である。
【図４】本考案の局部断面図である。
【図５Ａ】本考案の実際操作の指示図である。
【図５Ｂ】本考案の実際操作の指示図である。
【図５Ｃ】本考案の実際操作の指示図である。
【考案を実施するための形態】
【００１２】
以下は、図式及び符号により本考案の実施方式を更に詳しく説明し、当該領域の習熟者が説明によって実施できるようにする。
【００１３】
（一実施形態）
図１及び図２に示すのは、本考案の異なる角度の立体図である。構造内部の部品の一部は隠れている。図３及び図４は本考案の分解図及び局部断面図である。
【００１４】
本考案はＣＤスロット連接のプラットフォームであり、機体１０を含む。二枚の固定翼２０は、該機体１０の側壁１１に成形し、該二枚の固定翼２０は水平状に外向きに延びる。当実施例において、該固定翼２０は該機体１０と一体射出成型するが、これに制限されない。可動翼３０は該二枚の固定翼２０の間に位置し、且つ該機体１０位置に枢設する。キーボタン３１と該可動翼３０は連接して一体で、且つ該機体１０の納置空間１２箇所に位置する。少なくとも一弾性部品４０は該納置空間１２内に設置し、組み立て後、該弾性部品４０両端は、それぞれ該機体１０と該キーボタン３１内壁で押さえる。外からの力がかからない時、該可動翼３０と該固定翼２０の間は夾角を形成する。該弾性部品４０はバネである。
【００１５】
該機体１０は軸１３が本体の構造体及び該可動翼３０の軸孔３２を通過し、該可動翼３０が該機体１０に枢設し、該キーボタン３１を押すと該可動翼３０を回転させる。
【００１６】
該機体１０は、他に少なくとも一つの停止壁１４を備える。該停止壁１４は垂直形状の壁面を備え、且つ該固定翼２０と該側壁１１の接続位置から下向きに延びる。該固定翼２０と該可動翼３０を取付設備６０の該ＣＤスロット６１に挿入すると(図５Ａ〜５Ｃ参照)、該停止壁１４と該取付設備６０の表面が接触し、カンチレバー形状の機体１０を更に安定させる。
【００１７】
その他、該固定翼２０は下向き表面に別にスポンジ２１を設置し、係合状態の摩擦力を高める。反対に該可動翼３０上向き表面にはスポンジ３３を設置し、係合状態の摩擦力を高める。
【００１８】
本考案はＣＤスロット連接のプラットフォームは、該車内のＣＤスロットに固定するのに用いる。その本体は、該機体１０箇所に他にその他構造も設置し、その他設備もしくは携帯電子製品をそこに結合する。本考案はそのうちの一つの説明に過ぎず、本考案の請求範囲を制限するものではない。
【００１９】
該機体１０は、他に連接腕１５を備え、該連接腕１５は設置部品５０を連接する。該連接腕１５と該固定翼２０はそれぞれ該機体１０の両相対辺に位置する。該連接腕１５は機体１０から傾斜状に上向きに伸び、末端は球状体１６を備え、該設置部品５０箇所には球台５１を備える。該球台５１は該球状体１６によって受け、該設置部品５０が多方向へ調整してユーザーの要求に応えられるようにする。該設置部品５０は他に設置面５２を設置する。該設置部品５０は設置面５２のある箇所の内部に複数個の磁石(図未提示)を設置する。該設置部品５０は主に該磁石の磁力によってその他携帯電子製品もしくは設備を吸着させる。
【００２０】
図５Ａ乃至５Ｃに示すのは。本考案の使用方式を説明したものである。該取付設備６０はＣＤスロット６１を備える。当実施例において、該取付設備６０は車内ＣＤプレーヤーとする。図に示すのは指示する部品だけである。図５Aにおいて、外力がない状況において、該機体１０の可動翼３０及び固定翼２０末端は開き夾角を形成する。末端距離L１はＣＤスロット６１より大きい。図５Bに示すのは、設置する時、該キーボタン３１を押す。そして該可動翼３０を該固定翼２０方向向きに回転して並列状にする。この時末端距離L２はＣＤスロット６１より小さいので、該固定翼２０と該可動翼３０を該ＣＤスロット６１に挿入することができる。図５Cに示すとおり、插入後、施力が停止すると、内部の弾性部品４０によって、該可動翼３０及び固定翼２０が再度開き、該ＣＤスロット６１に係合される。その他、該停止壁１４と取付設備６０外の表面が接触することによって、機体１０が更に安定し、車両が運転中でも揺れにくい。その後、携帯電子製品７０、例として携帯電話は該設置部品５０の磁力で吸着して固定しても良い。
【００２１】
以上は、本考案の良好な実施例にすぎず、本考案実施例の請求範囲を制限するものではない。拠って、本考案の請求範囲には、均等な変化及び修飾もすべて本考案に含まれるものとする。
【符号の説明】
【００２２】
１０        機体
１１        側壁
１２        納置空間
１３        軸
１４        停止壁
１５        連接腕
１６        球状体
２０        固定翼
２１        スポンジ
３０        可動翼
３１        キーボタン
３２        軸孔
３３        スポンジ
４０        弾性部品
５０        設置部品
５１        球台
５２        設置面
６０        取付設備
６１        ＣＤスロット
７０        携帯電子製品
Ｌ１        末端距離
Ｌ２        末端距離
【図１】
0003211941.tif 000003
【図２】
0003211941.tif 000004
【図３】
0003211941.tif 000005
【図４】
0003211941.tif 000006
【図５Ａ】
0003211941.tif 000007
【図５Ｂ】
0003211941.tif 000008
【図５Ｃ】
0003211941.tif 000009